(57)【要約】  基準ディスプレイ２と増設ディスプレイ３とを接続部材４で接続して増設ディスプレイ３を基準ディスプレイ２の上下左右に移動できるようにし、基準ディスプレイ２には映像入力部５から入力した映像の中心領域を映像処理部２１で切り出して表示させて、基準ディスプレイ２には、移動した位置に対応する領域の映像を映像処理部３１で切り出して表示させる。
2009066382.tif 000002
【特許請求の範囲】
【請求項１】
映像を入力する映像入力手段と、前記映像入力手段から映像が入力されるとともに入力された映像の中心領域を表示する第１のディスプレイと、前記映像入力手段から映像が入力されるとともに前記第１のディスプレイが表示する前記中心領域と隣接する領域を表示する第２のディスプレイと、を備えた表示領域拡大装置であって、
前記第２のディスプレイを、前記第１のディスプレイと接続するとともに、前記第１のディスプレイを中心として周方向に移動自在に接続する接続手段と、
前記第２のディスプレイの位置を検出する検出手段と、
前記検出手段が検出した前記第２のディスプレイの位置に基づいて、前記中心領域と隣接する領域のうち前記第２のディスプレイに表示する領域を決定し表示させる表示領域決定手段と、
を備えたことを特徴とする表示領域拡大装置。
【請求項２】
前記接続手段が、前記第２のディスプレイを前記第１のディスプレイの上下左右のいずれかの位置に移動可能に接続し、前記表示領域決定手段が、前記検出手段が検出した位置に基づいて、前記第１のディスプレイに表示される中心領域の上下左右のいずれかの位置に隣接する領域を前記第２のディスプレイに表示させることを特徴とする請求項１に記載の表示領域拡大装置。
【請求項３】
前記接続手段が、前記第１のディスプレイと前記第２のディスプレイとを接続するアーム部と、前記第１のディスプレイの背面に取り付けられるとともに前記アーム部の一端と接続されて前記アーム部を前記第１のディスプレイの背面に対して平行な方向に回転自在に保持する第１の取付部と、前記第２のディスプレイの背面に取り付けられるとともに前記アーム部の他端と接続されて前記アーム部を前記第２のディスプレイの背面に対して平行な方向に回転自在に保持する第２の取付部と、を備えることを特徴とする請求項１または２に記載の表示領域拡大装置。
【請求項４】
前記検出手段が、前記第１の取付部または前記第２の取付部のうちいずれか一方における前記アーム部の角度を検出することを特徴とする請求項３に記載の表示領域拡大装置。
【請求項５】
前記検出手段が、前記第１のディスプレイの側面と前記第２のディスプレイの側面との接触位置を検出することを特徴とする請求項１乃至３のうちいずれか一項に記載の表示領域拡大装置。
【請求項６】
前記第２のディスプレイが前記第１のディスプレイを介して映像を入力されることを特徴とする請求項１乃至５のうちいずれか一項に記載の表示領域拡大装置。
【請求項７】
前記第２のディスプレイを複数備えたことを特徴とする請求項１乃至６のうちいずれか一項に記載の表示領域拡大装置。
【請求項８】
請求項１乃至７のうちいずれか一項に記載の表示領域拡大装置を備えたことを特徴とする車載機器。
【発明の詳細な説明】
【技術分野】
【０００１】
本発明は、例えば表示装置に表示された地図などの映像の表示領域を拡大する表示領域拡大装置およびその表示領域拡大装置を備えた車載機器に関する。
【背景技術】
【０００２】
従来、所定の解像度（例えばＶＧＡ）のディスプレイで表示されていた映像でそれよりも広範囲まで表示領域を拡大して表示する場合は、例えば特許文献１のようにＶＧＡサイズのディスプレイを縦横それぞれ２つずつ並べて表示することでＶＧＡサイズの４倍の表示領域に拡大していた。【０００３】
特許文献１に記載のマルチスクリーン表示装置は複数のディスプレイ装置を直列に接続して初段のディスプレイ装置から各ディスプレイ装置には同一の映像信号が供給され、各ディスプレイ装置で表示すべき領域のみを拡大して表示している。【０００４】
また、特許文献２には、複数のディスプレイに異なる映像を表示させるために、一つの表示装置が時分割で複数のディスプレイそれぞれに表示する映像を出力して複数のディスプレイに異なる映像を表示させる描画装置が提案されている。
【特許文献１】特開２００３−３１６３３９号公報
【特許文献２】特開２００５−１３４４７９号公報
【発明の開示】
【発明が解決しようとする課題】
【０００５】
従来１つのディスプレイでは画面をスクロールして現在表示されている領域の隣接領域を表示させていたが、上述した特許文献１を適用すればスクロールを使用する頻度を少なくすることができる。しかしながら、特許文献１に記載のマルチスクリーン表示装置では、ディスプレイの取り付けスペースに制限がある場合は適用できない。例えば、車載機器の場合は、特許文献１のような４倍の面積のディスプレイを用いると、正面の視界を遮ってしまったり、ハザードランプやエアコンのスイッチなどを隠してしまうことがあり、運転の支障となってしまうという問題があった。【０００６】
特許文献２に記載の描画装置においても、上述したような車載機器に適用する際の問題点には何ら解決策が提示されていない。【０００７】
そこで、本発明は、例えば複数のディスプレイを用いて１つの映像を表示する際に、なるべく場所をとらずに効率良く表示領域を拡大することができる表示領域拡大装置および車載機器を提供することを課題とする。
【課題を解決するための手段】
【０００８】
上記課題を解決するために、請求項１に記載の表示領域拡大装置は、映像を入力する映像入力手段と、前記映像入力手段から映像が入力されるとともに入力された映像の中心領域を表示する第１のディスプレイと、前記映像入力手段から映像が入力されるとともに前記第１のディスプレイが表示する前記中心領域と隣接する領域を表示する第２のディスプレイと、を備えた表示領域拡大装置であって、前記第２のディスプレイを、前記第１のディスプレイと接続するとともに、前記第１のディスプレイを中心として周方向に移動自在に接続する接続手段と、前記第２のディスプレイの位置を検出する検出手段と、前記検出手段が検出した前記第２のディスプレイの位置に基づいて、前記中心領域と隣接する領域のうち前記第２のディスプレイに表示する領域を決定し表示させる表示領域決定手段と、を備えたことを特徴としている。
【図面の簡単な説明】
【０００９】
【図１】本発明の第１の実施例にかかる表示領域拡大装置の外観図である。
【図２】図１に示された表示領域拡大装置の機能ブロック図である。
【図３】映像入力部から入力される映像の解像度の説明図である。
【図４】図１に示された表示領域拡大装置の動作の説明図である。
【図５】図１に示された表示領域拡大装置の増設ディスプレイの移動方法の説明図である。
【図６】図１に示された表示領域拡大装置の基準ディスプレイの動作を示すフローチャートである。
【図７】図１に示された表示領域拡大装置の増設ディスプレイの動作を示すフローチャートである。
【図８】本発明の第２の実施例にかかる表示領域拡大装置のブロック図である。
【図９】ロック機構の他の実施例の説明図である。
【図１０】増設ディスプレイの他の移動方法の説明図である。
【符号の説明】
【００１０】
１        表示領域拡大装置
２        基準ディスプレイ（第１のディスプレイ）
３        増設ディスプレイ（第２のディスプレイ）
４        接続部材（接続手段）
４ａ      基準ディスプレイ固定部（第１の取付部）
４ｂ      アーム部
４ｃ      増設ディスプレイ固定部（第２の取付部）
５        映像入力部（映像入力手段）
３２      増設マイコン（表示領域決定手段）
４１      配置方向センサ（検出手段）
【発明を実施するための最良の形態】
【００１１】
以下、本発明の一実施形態にかかる表示領域拡大装置を説明する。本発明の一実施形態にかかる表示領域拡大装置は、接続手段が第２のディスプレイを第１のディスプレイを中心として周方向に移動自在に接続し、検出手段で検出した第２のディスプレイの位置に基づいて、表示領域決定手段が第２のディスプレイに表示する領域を決定して表示させているので、第２のディスプレイを第１のディスプレイを中心として周方向に移動させるだけで、移動した位置に対応した第１のディスプレイが表示する中心領域と隣接する領域を第２のディスプレイに自動的に表示することができる。したがって、４倍の面積のディスプレイを用いなくとも、表示させたい領域を含むような位置に第２のディスプレイを移動することで第１のディスプレイの表示領域を効率よく拡大できる。【００１２】
また、接続手段が、第２のディスプレイを第１のディスプレイの上下左右のいずれかの位置に移動可能とし、表示領域決定手段が、検出手段が検出した位置に基づいて、第１のディスプレイに表示される中心領域の上下左右のいずれかの位置に隣接する領域を第２のディスプレイに表示させてもよい。このようにすることにより、第２のディスプレイを第１のディスプレイの上下左右のいずれかの位置に移動させるだけで、移動した位置に対応した第１のディスプレイが表示する中心領域の上下左右のいずれかに隣接する領域を第２のディスプレイに自動的に表示することができる。【００１３】
また、接続手段が、第１のディスプレイと第２のディスプレイとを接続するアーム部と、第１のディスプレイの背面に取り付けられるとともにアーム部の一端と接続されてアーム部を第１のディスプレイの背面に対して平行な方向に回転自在に保持する第１の取付部と、第２のディスプレイの背面に取り付けられるとともにアーム部の他端と接続されてアーム部を第２のディスプレイの背面に対して平行な方向に回転自在に保持する第２の取付部と、を備えてもよい。このようにすることにより、第１のディスプレイと第２のディスプレイとを接続し、第１の取付部と第２の取付部がそれぞれ回転することで、第２のディスプレイを第１のディスプレイを中心として周方向に移動自在とすることができる。【００１４】
また、検出手段が、第１の取付部または第２の取付部のうちいずれか一方におけるアーム部の角度を検出するようにしてもよい。このようにすることにより、アーム部の角度によって第２のディスプレイの位置を検出することができる。【００１５】
また、検出手段が、第１のディスプレイの側面と第２のディスプレイの側面との接触位置を検出するようにしてもよい。このようにすることにより、例えば、第１のディスプレイの側面または第２のディスプレイの側面にスイッチを設けて、そのスイッチが第１のディスプレイの側面または第２のディスプレイの側面に押されることで、その押された位置を検出して第２のディスプレイの位置を検出することができる。【００１６】
また、第２のディスプレイが第１のディスプレイを介して映像を入力されてもよい。このようにすることにより、第２のディスプレイに映像入力のための配線を行う必要がなく、第１のディスプレイにのみ配線すればよいので配線が単純になるとともに接続作業が容易になる。【００１７】
また、第２のディスプレイを複数備えてもよい。このようにすることにより、第１のディスプレイが表示する中心領域の周囲の複数領域を表示することができるので、拡大表示領域をさらに大きくすることができる。【００１８】
また、車載機器に請求項１乃至７のうちいずれか一項に記載の表示領域拡大装置を備えてもよい。このようにすることにより、車載機器において、従来よりも省スペースにして表示領域を効率よく拡大できる。
【実施例１】
【００１９】
本発明の第１の実施例にかかる表示領域拡大装置１を図１ないし図７を参照して説明する。図１（ａ）は表示領域拡大装置１の外観を示した正面図、図１（ｂ）は右側面図、図２は表示領域拡大装置１の機能ブロック図である。表示領域拡大装置１は、自動車などに搭載されてカーナビゲーションシステムなどの車載機器の表示装置として用いられる。表示領域拡大装置１は、第１のディスプレイとしての基準ディスプレイ２と、第２のディスプレイとしての増設ディスプレイ３と、接続手段としての接続部材４と、を備えている。ここで、図１の矢印Ｘ方向を幅方向、矢印Ｙ方向を高さ方向、矢印Ｚ方向を奥行き方向と呼ぶ。【００２０】
基準ディスプレイ２は、略直方体状に形成されたケース２ａと、ケース２ａの図１（ａ） 上の正面に取り付けられたＬＣＤ（Liquid Crystal Display：液晶ディスプレイ）で構成された表示部２ｂと、を備えている。また、基準ディスプレイ２は、図示しない固定部材により例えば自動車などの車室内のダッシュボード上などに固定されている。【００２１】
また、基準ディスプレイ２は図２に示すように、映像処理部２１と、基準マイコン２２と、を備えている。【００２２】
映像処理部２１は、映像入力部５から入力された映像のうち、表示部２ｂで表示する領域のみを切り出して表示部２ｂに出力する。表示部２ｂで表示する領域とは、映像入力部５から映像処理部２１に入力される映像の略中心部分を示す。【００２３】
基準マイコン２２は、ＣＰＵやメモリなどから構成されたマイクロコンピュータであり、基準ディスプレイ２の全体制御や、映像処理部２１へ映像切り出しの指示などを行う。【００２４】
増設ディスプレイ３は、略直方体状に形成されたケース３ａと、ケース３ａの図１（ａ） 上の正面に取り付けられたＬＣＤ（Liquid Crystal Display：液晶ディスプレイ）で構成された表示部３ｂと、を備えている。【００２５】
また、増設ディスプレイ３は図２に示すように、映像処理部３１と、増設マイコン３２と、を備えている。【００２６】
映像処理部３１は、映像入力部５から入力された映像のうち、表示部３ｂで表示する領域のみを切り出して表示部３ｂに出力する。表示部３ｂで表示する領域は、増設マイコン３２から指示される。【００２７】
表示領域決定手段としての増設マイコン３２は、ＣＰＵやメモリなどから構成されたマイクロコンピュータであり、増設ディスプレイ３の全体制御や、配置方向センサ４１から入力されるアーム部４ｂの位置（角度）に基づいて映像処理部３１へ映像切り出しの指示などを行う。【００２８】
接続部材４は、第１の取付部としての基準ディスプレイ固定部４ａと、アーム部４ｂと、第２の取付部としての増設ディスプレイ固定部４ｃと、を備えている。【００２９】
基準ディスプレイ固定部４ａは、円柱状に形成され、側面からアーム部４ｂの一端が該円柱の周方向（背面と平行な方向）に沿って回転自在に取り付けられている。基準ディスプレイ固定部４ａは、アーム部４ｂを図１の幅方向（矢印Ｘ方向とその逆方向）、高さ方向（矢印Ｙ方向とその逆方向）の４箇所の位置でアーム部４ｂを固定する図示しないロック機構と、後述する検出手段としての配置方向センサ４１を内蔵している。また、基準ディスプレイ固定部４ａは、基準ディスプレイ２の表示部２ｂと相対する背面の略中央に円柱が突出するように取り付けられている。すなわち、前記ロック機構がロックする４箇所は基準ディスプレイ２の上下左右のいずれかに固定することを示し、配置方向センサ４１はその４箇所のうちどの位置に固定されているかを検出する。【００３０】
アーム部４ｂは、平板状に形成され、基準ディスプレイ固定部４ａと後述する増設ディスプレイ固定部４ｃとを接続する。また、アーム部４ｂは増設ディスプレイ３の移動時や増設ディスプレイ３の位置に合わせて伸縮することが可能となっている。【００３１】
増設ディスプレイ固定部４ｃは、円柱状に形成され、側面からアーム部４ｂの他端が該円柱の周方向（背面と平行な方向）に沿って回転自在に取り付けられている。また、増設ディスプレイ固定部４ｃは、増設ディスプレイ３の表示部３ｂと相対する背面の略中央に円柱が突出するように取り付けられている。【００３２】
図２に示すように、配置方向センサ４１は、基準ディスプレイ固定部４ａに設けられ、アーム部４ｂの位置（角度）を検出して増設マイコン３２に出力する。アーム部４ｂの位置（角度）とは、前述したロック機構によるロック位置（幅方向および高さ方向の４箇所のいずれの方向にアーム部４ｂが向いているかを示している。例えば図１（ａ）の場合は高さ方向（矢印Ｙの逆方向、つまり下）を向いている。【００３３】
映像入力手段としての映像入力部５は、例えば、ＤＶＤドライブやハードディスクドライブなどの記録媒体を内蔵し、基準ディスプレイ２へ記録媒体から読み出した映像を入力する。記録媒体には、基準ディスプレイ２の表示部２ｂに表示する解像度よりも高い解像度の映像が記録されている。なお、映像入力部５は、記録媒体によらず、外部から無線や有線などによって映像を供給してもよい。【００３４】
次に、上述した構成の表示領域拡大装置１の動作を図３乃至図７を参照して説明する。図３は映像入力部５が基準ディスプレイ２に対して出力する映像の解像度（サイズ）を示している。出力映像６は、基準ディスプレイ２が表示する解像度に対して縦横共に３倍の解像度の映像である。基準ディスプレイ２はこの出力映像６のうち６Ｅの位置の映像を表示する。【００３５】
この６Ｅの位置の映像の一例を図４に示す。図４は地図とルート情報７および自車を示すマーク８（アイコン）の他にメニューや案内表示や他のアイコンなども表示されている。つまり、この映像（６Ｅ）単体でもナビゲーションシステムとして機能するために必要とする機能は備えている。要するに、この映像（６Ｅ）は従来表示部が１枚の場合に表示されていた映像と略同一の情報量の映像である。【００３６】
本実施例の場合は予め６Ｅの周囲領域まで含めた映像を作成し映像入力部５から基準ディスプレイ２や増設ディスプレイ３に入力することによって、図４に示すように、増設ディスプレイ３を移動させることで移動させた位置に対応する領域を増設ディスプレイ３に表示させることができる。例えば、図４の場合は、増設ディスプレイ３が基準ディスプレイ２の下に位置（６Ｈを表示）していた時に、基準ディスプレイ２の右に移動させることで、その位置を認識して対応する領域の映像（６Ｆ）を増設ディスプレイ３が表示する。図４の場合は、増設ディスプレイ３をこのように移動することで、案内ルート上、右折の次は左折する必要があることが基準ディスプレイ２のみの場合よりも視覚的にわかり易く表示することができる。また、同様に基準ディスプレイ２の上に移動させたときは６Ｂを、基準ディスプレイ２の左に移動させた場合は６Ｄを表示する。【００３７】
ここで、増設ディスプレイ３の移動方法を図５を参照して説明する。まず、増設ディスプレイ３を基準ディスプレイ２から離れる方向に向かって引く（図５の場合は下側に向かって引く）。このようにすると、接続部材４のアーム部４ｂが伸びるとともに基準ディスプレイ固定部４ａのロックが解除される。そして、増設ディスプレイ３を所望の位置に移動させて、基準ディスプレイ２の側面と増設ディスプレイ３の側面が接触する程度までアーム部４ｂが縮むと基準ディスプレイ固定部４ａがロックされ増設ディスプレイ３が移動した位置（図５では右側）に保持される。【００３８】
次に、上述した基準ディスプレイ２の動作を図６のフローチャートを参照して詳細に説明する。図６のフローチャートは基準マイコン２２にて実行される。【００３９】
まず、ステップＳ１１において、予め定めた位置の映像を切り出してステップＳ１２に進む。本ステップでは、映像処理部２１に予め定めた位置、つまり映像の中央位置（６Ｅ）を切り出すように指示をする。【００４０】
次に、ステップＳ１２において、ステップＳ１１で切り出した映像を表示部２ｂに出力させる。つまり、基準マイコン２２は映像の中央位置を切り出させて表示させるように制御している。【００４１】
次に、上述した増設ディスプレイ３の動作を図７のフローチャートを参照して詳細に説明する。図７のフローチャートは増設マイコン３２にて実行される。【００４２】
まず、ステップＳ２１において、自分の位置、つまり、増設ディスプレイ３が基準ディスプレイ２の上下左右のうちどの位置にあるかを確認してステップＳ２２に進む。すなわち、基準ディスプレイ固定部４ａに内蔵されている配置方向センサ４１が検出したアーム部４ｂの位置（角度）を取得して、そのアーム部４ｂの位置（角度）から基準ディスプレイ２が上下左右のうちどの位置にあるかを確認する。【００４３】
次に、ステップＳ２２において、ステップＳ２１で確認した位置に応じた映像を切り出してステップＳ２３に進む。本ステップでは、映像処理部３１にステップＳ２１で検出した位置に相当する映像を切り出すように指示をする。【００４４】
次に、ステップＳ２３において、ステップＳ２２で切り出した映像を表示部３ｂに出力させる。つまり、増設マイコン３２は配置方向センサ４１が検出した位置に応じた映像を切り出させて表示させるように制御している。すなわち、検出手段が検出した位置に基づいて、第２のディスプレイに表示する第１のディスプレイに表示される中心領域の上下左右のいずれかの位置に隣接する領域を決定し、第２のディスプレイに表示させている。【００４５】
本実施例によれば、基準ディスプレイ２と増設ディスプレイ３とを接続部材４で接続して増設ディスプレイ３を基準ディスプレイ２の上下左右に移動できるようにし、基準ディスプレイ２には映像入力部５から入力した映像の中心領域を切り出して表示させて、増設ディスプレイ３には、移動した位置に対応する領域の映像を切り出して表示させているので、移動した位置に対応した中心領域に隣接する領域を増設ディスプレイ３に自動的に表示することができる。【００４６】
また、配置方向センサ４１でアーム部４ｂの角度を検出しているので、その角度からアーム部４ｂに接続された増設ディスプレイ３の位置を検出することができる。【００４７】
なお、上述した実施例では配置方向センサ４１は基準ディスプレイ固定部４ａに内蔵されていたが、増設ディスプレイ固定部４ｃにおいても増設ディスプレイ３の移動に応じてアーム部４ｂの角度が変化することから、増設ディスプレイ固定部４ｃに内蔵してもよい。【００４８】
また、上述した実施例では、基準ディスプレイ２を中心領域を表示する第１のディスプレイとしていたが、基準ディスプレイ２、増設ディスプレイ３ともに同一構成とし、配置方向センサ４１の検出結果も両方のディスプレイに出力するようにして、初期設定などにより中心領域を表示する第１のディスプレイを選択できるようにしてもよい。
【実施例２】
【００４９】
次に、本発明の第２の実施例を図８を参照して説明する。なお、前述した第１の実施例と同一部分には、同一符号を付して説明を省略する。【００５０】
本実施例は、基準ディスプレイ２および増設ディスプレイ３のブロック構成は第１の実施例と同様であるが、映像入力部５から増設ディスプレイ３に入力される映像は基準ディスプレイ２及び接続部材４を介して入力されている点が異なる。【００５１】
また、本実施例においても、配置方向センサ４１は基準ディスプレイ固定部４ａ、増設ディスプレイ固定部４ｃのどちらに内蔵してもよい。【００５２】
本実施例によれば、増設ディスプレイ３へ基準ディスプレイ２を介して映像が入力されているので、配線が単純化されるために配線作業が容易になる。【００５３】
なお、上述した実施例では基準ディスプレイ固定部４ａに配置方向センサ４１を備えていたが、それに限らず、例えば、基準ディスプレイ２の４つの側面にスイッチ等を設け、増設ディスプレイ３がそのスイッチを押すことで、増設ディスプレイ３が基準ディスプレイ２に対してどの位置にあるかを検出するようにしてもよい。勿論増設ディスプレイ３側にスイッチを設けてもよい。すなわち、第１のディスプレイの側面と第２のディスプレイの側面との接触位置を検出してもよい。【００５４】
また、上述した実施例では基準ディスプレイ固定部４ａにロック機構を備えていたが、それに限らず、図９に示すように、基準ディスプレイ２の側面から突出した突起２ｃと、増設ディスプレイ３の側面に孔３ｃと、をそれぞれ設け、突起２ｃを孔３ｃに進入されることで増設ディスプレイ３の位置をロックするようにしてもよい。勿論、基準ディスプレイ２に孔を設け、増設ディスプレイ３に突起を設けてもよい。さらに、上述したスイッチによる配置方向センサと組み合わせてもよい。つまり、突起側または孔側にスイッチ機能を持たせロックされた時点でスイッチがＯＮになるようにしてもよい。【００５５】
また、増設ディスプレイ３を移動する際には基準ディスプレイ２から離れる方向に引いていたが、図１０に示すように増設ディスプレイ３を基準ディスプレイ２と側面が接触しない方向（奥行き方向）に押してから回転させてもよい。【００５６】
また、上述した実施例では増設ディスプレイ３は１つであったが２つ以上であってもよい。この場合は接続部材のアーム部４ｂが複数となるので各アーム部４ｂに対応した配置方向センサ４１を設ける必要がある。【００５７】
前述した実施例によれば、以下の表示領域拡大装置１が得られる。【００５８】
（付記１）映像を入力する映像入力部５と、映像入力部５から映像が入力されるとともに入力された映像の中心領域を表示する基準ディスプレイ２と、映像入力部５から映像が入力されるとともに基準ディスプレイ２が表示する中心領域と隣接する領域を表示する増設ディスプレイ３と、を備えた表示領域拡大装置１であって、
増設ディスプレイ３を、基準ディスプレイ２と接続するとともに、基準ディスプレイ２を中心として周方向に移動自在に接続する接続部材４と、
増設ディスプレイ３の位置を検出する配置方向センサ４１と、
配置方向センサ４１が検出した増設ディスプレイ３の位置に基づいて、中心領域と隣接する領域のうち増設ディスプレイ３に表示する領域を決定し表示させる増設マイコン３２と、
を備えたことを特徴とする表示領域拡大装置１。【００５９】
この表示領域拡大装置１によれば、増設ディスプレイ３を基準ディスプレイ２を中心として周方向に移動させるだけで、移動した位置に対応した基準ディスプレイ２が表示する中心領域と隣接する領域を増設ディスプレイ３に自動的に表示することができる。したがって、４倍の面積のディスプレイを用いなくとも、表示させたい領域を含むような位置に第２のディスプレイを移動することで第１のディスプレイの表示領域を効率よく拡大できる。【００６０】
なお、前述した実施例は本発明の代表的な形態を示したに過ぎず、本発明は、実施例に限定されるものではない。すなわち、本発明の骨子を逸脱しない範囲で種々変形して実施することができる。
【図１】
2009066382.tif 000003
【図２】
2009066382.tif 000004
【図３】
2009066382.tif 000005
【図４】
2009066382.tif 000006
【図５】
2009066382.tif 000007
【図６】
2009066382.tif 000008
【図７】
2009066382.tif 000009
【図８】
2009066382.tif 000010
【図９】
2009066382.tif 000011
【図１０】
2009066382.tif 000012
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
映像を入力する映像入力手段と、前記映像入力手段から映像が入力されるとともに入力された映像の中心領域を表示する第１のディスプレイと、前記映像入力手段から映像が入力されるとともに前記第１のディスプレイが表示する前記中心領域と隣接する領域を表示する第２のディスプレイと、を備えた表示領域拡大装置であって、
前記第１のディスプレイと前記第２のディスプレイとを接続するアーム部と、前記第１のディスプレイの背面に取り付けられるとともに前記アーム部の一端と接続されて前記アーム部を前記第１のディスプレイの背面に対して平行な方向に回転自在に保持する第１の取付部と、前記第２のディスプレイの背面に取り付けられるとともに前記アーム部の他端と接続されて前記アーム部を前記第２のディスプレイの背面に対して平行な方向に回転自在に保持する第２の取付部と、を備えて、前記第２のディスプレイを、前記第１のディスプレイと接続するとともに、前記第１のディスプレイを中心として周方向に移動自在に接続する接続手段と、
前記第２のディスプレイの位置を検出する検出手段と、
前記検出手段が検出した前記第２のディスプレイの位置に基づいて、前記中心領域と隣接する領域のうち前記第２のディスプレイに表示する領域を決定し表示させる表示領域決定手段と、
を備えたことを特徴とする表示領域拡大装置。
【請求項２】
前記接続手段が、前記第２のディスプレイを前記第１のディスプレイの上下左右のいずれかの位置に移動可能に接続し、前記表示領域決定手段が、前記検出手段が検出した位置に基づいて、前記第１のディスプレイに表示される中心領域の上下左右のいずれかの位置に隣接する領域を前記第２のディスプレイに表示させることを特徴とする請求項１に記載の表示領域拡大装置。
【請求項３】
前記検出手段が、前記第１の取付部または前記第２の取付部のうちいずれか一方における前記アーム部の角度を検出することを特徴とする請求項１または２に記載の表示領域拡大装置。
【請求項４】
前記検出手段が、前記第１のディスプレイの側面と前記第２のディスプレイの側面との接触位置を検出することを特徴とする請求項１または２に記載の表示領域拡大装置。
【請求項５】
前記第２のディスプレイが前記第１のディスプレイを介して映像を入力されることを特徴とする請求項１乃至４のうちいずれか一項に記載の表示領域拡大装置。
【請求項６】
前記第２のディスプレイを複数備えたことを特徴とする請求項１乃至５のうちいずれか一項に記載の表示領域拡大装置。
【請求項７】
請求項１乃至６のうちいずれか一項に記載の表示領域拡大装置を備えたことを特徴とする車載機器。
【手続補正２】
【補正対象書類名】明細書
【補正対象項目名】全文
【補正方法】変更
【補正の内容】
【発明の詳細な説明】
【技術分野】
【０００１】
本発明は、例えば表示装置に表示された地図などの映像の表示領域を拡大する表示領域拡大装置およびその表示領域拡大装置を備えた車載機器に関する。
【背景技術】
【０００２】
従来、所定の解像度（例えばＶＧＡ）のディスプレイで表示されていた映像でそれよりも広範囲まで表示領域を拡大して表示する場合は、例えば特許文献１のようにＶＧＡサイズのディスプレイを縦横それぞれ２つずつ並べて表示することでＶＧＡサイズの４倍の表示領域に拡大していた。
【０００３】
特許文献１に記載のマルチスクリーン表示装置は複数のディスプレイ装置を直列に接続して初段のディスプレイ装置から各ディスプレイ装置には同一の映像信号が供給され、各ディスプレイ装置で表示すべき領域のみを拡大して表示している。
【０００４】
また、特許文献２には、複数のディスプレイに異なる映像を表示させるために、一つの表示装置が時分割で複数のディスプレイそれぞれに表示する映像を出力して複数のディスプレイに異なる映像を表示させる描画装置が提案されている。
【先行技術文献】
【特許文献】
【０００５】
【特許文献１】特開２００３−３１６３３９号公報
【特許文献２】特開２００５−１３４４７９号公報
【発明の概要】
【発明が解決しようとする課題】
【０００６】
従来１つのディスプレイでは画面をスクロールして現在表示されている領域の隣接領域を表示させていたが、上述した特許文献１を適用すればスクロールを使用する頻度を少なくすることができる。しかしながら、特許文献１に記載のマルチスクリーン表示装置では、ディスプレイの取り付けスペースに制限がある場合は適用できない。例えば、車載機器の場合は、特許文献１のような４倍の面積のディスプレイを用いると、正面の視界を遮ってしまったり、ハザードランプやエアコンのスイッチなどを隠してしまうことがあり、運転の支障となってしまうという問題があった。
【０００７】
特許文献２に記載の描画装置においても、上述したような車載機器に適用する際の問題点には何ら解決策が提示されていない。
【０００８】
そこで、本発明は、例えば複数のディスプレイを用いて１つの映像を表示する際に、なるべく場所をとらずに効率良く表示領域を拡大することができる表示領域拡大装置および車載機器を提供することを課題とする。
【課題を解決するための手段】
【０００９】
上記課題を解決するために、請求項１に記載の表示領域拡大装置は、映像を入力する映像入力手段と、前記映像入力手段から映像が入力されるとともに入力された映像の中心領域を表示する第１のディスプレイと、前記映像入力手段から映像が入力されるとともに前記第１のディスプレイが表示する前記中心領域と隣接する領域を表示する第２のディスプレイと、を備えた表示領域拡大装置であって、前記第１のディスプレイと前記第２のディスプレイとを接続するアーム部と、前記第１のディスプレイの背面に取り付けられるとともに前記アーム部の一端と接続されて前記アーム部を前記第１のディスプレイの背面に対して平行な方向に回転自在に保持する第１の取付部と、前記第２のディスプレイの背面に取り付けられるとともに前記アーム部の他端と接続されて前記アーム部を前記第２のディスプレイの背面に対して平行な方向に回転自在に保持する第２の取付部と、を備えて、前記第２のディスプレイを、前記第１のディスプレイと接続するとともに、前記第１のディスプレイを中心として周方向に移動自在に接続する接続手段と、前記第２のディスプレイの位置を検出する検出手段と、前記検出手段が検出した前記第２のディスプレイの位置に基づいて、前記中心領域と隣接する領域のうち前記第２のディスプレイに表示する領域を決定し表示させる表示領域決定手段と、を備えたことを特徴としている。
【図面の簡単な説明】
【００１０】
【図１】本発明の第１の実施例にかかる表示領域拡大装置の外観図である。
【図２】図１に示された表示領域拡大装置の機能ブロック図である。
【図３】映像入力部から入力される映像の解像度の説明図である。
【図４】図１に示された表示領域拡大装置の動作の説明図である。
【図５】図１に示された表示領域拡大装置の増設ディスプレイの移動方法の説明図である。
【図６】図１に示された表示領域拡大装置の基準ディスプレイの動作を示すフローチャートである。
【図７】図１に示された表示領域拡大装置の増設ディスプレイの動作を示すフローチャートである。
【図８】本発明の第２の実施例にかかる表示領域拡大装置のブロック図である。
【図９】ロック機構の他の実施例の説明図である。
【図１０】増設ディスプレイの他の移動方法の説明図である。
【発明を実施するための形態】
【００１１】
以下、本発明の一実施形態にかかる表示領域拡大装置を説明する。本発明の一実施形態にかかる表示領域拡大装置は、第１のディスプレイと第２のディスプレイとを接続するアーム部と、第１のディスプレイの背面に取り付けられるとともにアーム部の一端と接続されてアーム部を第１のディスプレイの背面に対して平行な方向に回転自在に保持する第１の取付部と、第２のディスプレイの背面に取り付けられるとともにアーム部の他端と接続されてアーム部を第２のディスプレイの背面に対して平行な方向に回転自在に保持する第２の取付部と、を備えた接続手段が第２のディスプレイを第１のディスプレイを中心として周方向に移動自在に接続し、検出手段で検出した第２のディスプレイの位置に基づいて、表示領域決定手段が第２のディスプレイに表示する領域を決定して表示させているので、第１のディスプレイと第２のディスプレイとを接続し、第１の取付部と第２の取付部がそれぞれ回転することで、第２のディスプレイを第１のディスプレイを中心として周方向に移動させることができ、そのために、移動した位置に対応した第１のディスプレイが表示する中心領域と隣接する領域を第２のディスプレイに自動的に表示することができる。したがって、４倍の面積のディスプレイを用いなくとも、表示させたい領域を含むような位置に第２のディスプレイを移動することで第１のディスプレイの表示領域を効率よく拡大できる。
【００１２】
また、接続手段が、第２のディスプレイを第１のディスプレイの上下左右のいずれかの位置に移動可能とし、表示領域決定手段が、検出手段が検出した位置に基づいて、第１のディスプレイに表示される中心領域の上下左右のいずれかの位置に隣接する領域を第２のディスプレイに表示させてもよい。このようにすることにより、第２のディスプレイを第１のディスプレイの上下左右のいずれかの位置に移動させるだけで、移動した位置に対応した第１のディスプレイが表示する中心領域の上下左右のいずれかに隣接する領域を第２のディスプレイに自動的に表示することができる。
【００１３】
また、検出手段が、第１の取付部または第２の取付部のうちいずれか一方におけるアーム部の角度を検出するようにしてもよい。このようにすることにより、アーム部の角度によって第２のディスプレイの位置を検出することができる。
【００１４】
また、検出手段が、第１のディスプレイの側面と第２のディスプレイの側面との接触位置を検出するようにしてもよい。このようにすることにより、例えば、第１のディスプレイの側面または第２のディスプレイの側面にスイッチを設けて、そのスイッチが第１のディスプレイの側面または第２のディスプレイの側面に押されることで、その押された位置を検出して第２のディスプレイの位置を検出することができる。
【００１５】
また、第２のディスプレイが第１のディスプレイを介して映像を入力されてもよい。このようにすることにより、第２のディスプレイに映像入力のための配線を行う必要がなく、第１のディスプレイにのみ配線すればよいので配線が単純になるとともに接続作業が容易になる。
【００１６】
また、第２のディスプレイを複数備えてもよい。このようにすることにより、第１のディスプレイが表示する中心領域の周囲の複数領域を表示することができるので、拡大表示領域をさらに大きくすることができる。
【００１７】
また、車載機器に請求項１乃至６のうちいずれか一項に記載の表示領域拡大装置を備えてもよい。このようにすることにより、車載機器において、従来よりも省スペースにして表示領域を効率よく拡大できる。
【実施例１】
【００１８】
本発明の第１の実施例にかかる表示領域拡大装置１を図１ないし図７を参照して説明する。図１（ａ）は表示領域拡大装置１の外観を示した正面図、図１（ｂ）は右側面図、図２は表示領域拡大装置１の機能ブロック図である。表示領域拡大装置１は、自動車などに搭載されてカーナビゲーションシステムなどの車載機器の表示装置として用いられる。表示領域拡大装置１は、第１のディスプレイとしての基準ディスプレイ２と、第２のディスプレイとしての増設ディスプレイ３と、接続手段としての接続部材４と、を備えている。ここで、図１の矢印Ｘ方向を幅方向、矢印Ｙ方向を高さ方向、矢印Ｚ方向を奥行き方向と呼ぶ。
【００１９】
基準ディスプレイ２は、略直方体状に形成されたケース２ａと、ケース２ａの図１（ａ） 上の正面に取り付けられたＬＣＤ（Liquid Crystal Display：液晶ディスプレイ）で構成された表示部２ｂと、を備えている。また、基準ディスプレイ２は、図示しない固定部材により例えば自動車などの車室内のダッシュボード上などに固定されている。
【００２０】
また、基準ディスプレイ２は図２に示すように、映像処理部２１と、基準マイコン２２と、を備えている。
【００２１】
映像処理部２１は、映像入力部５から入力された映像のうち、表示部２ｂで表示する領域のみを切り出して表示部２ｂに出力する。表示部２ｂで表示する領域とは、映像入力部５から映像処理部２１に入力される映像の略中心部分を示す。
【００２２】
基準マイコン２２は、ＣＰＵやメモリなどから構成されたマイクロコンピュータであり、基準ディスプレイ２の全体制御や、映像処理部２１へ映像切り出しの指示などを行う。
【００２３】
増設ディスプレイ３は、略直方体状に形成されたケース３ａと、ケース３ａの図１（ａ） 上の正面に取り付けられたＬＣＤ（Liquid Crystal Display：液晶ディスプレイ）で構成された表示部３ｂと、を備えている。
【００２４】
また、増設ディスプレイ３は図２に示すように、映像処理部３１と、増設マイコン３２と、を備えている。
【００２５】
映像処理部３１は、映像入力部５から入力された映像のうち、表示部３ｂで表示する領域のみを切り出して表示部３ｂに出力する。表示部３ｂで表示する領域は、増設マイコン３２から指示される。
【００２６】
表示領域決定手段としての増設マイコン３２は、ＣＰＵやメモリなどから構成されたマイクロコンピュータであり、増設ディスプレイ３の全体制御や、配置方向センサ４１から入力されるアーム部４ｂの位置（角度）に基づいて映像処理部３１へ映像切り出しの指示などを行う。
【００２７】
接続部材４は、第１の取付部としての基準ディスプレイ固定部４ａと、アーム部４ｂと、第２の取付部としての増設ディスプレイ固定部４ｃと、を備えている。
【００２８】
基準ディスプレイ固定部４ａは、円柱状に形成され、側面からアーム部４ｂの一端が該円柱の周方向（背面と平行な方向）に沿って回転自在に取り付けられている。基準ディスプレイ固定部４ａは、アーム部４ｂを図１の幅方向（矢印Ｘ方向とその逆方向）、高さ方向（矢印Ｙ方向とその逆方向）の４箇所の位置でアーム部４ｂを固定する図示しないロック機構と、後述する検出手段としての配置方向センサ４１を内蔵している。また、基準ディスプレイ固定部４ａは、基準ディスプレイ２の表示部２ｂと相対する背面の略中央に円柱が突出するように取り付けられている。すなわち、前記ロック機構がロックする４箇所は基準ディスプレイ２の上下左右のいずれかに固定することを示し、配置方向センサ４１はその４箇所のうちどの位置に固定されているかを検出する。
【００２９】
アーム部４ｂは、平板状に形成され、基準ディスプレイ固定部４ａと後述する増設ディスプレイ固定部４ｃとを接続する。また、アーム部４ｂは増設ディスプレイ３の移動時や増設ディスプレイ３の位置に合わせて伸縮することが可能となっている。
【００３０】
増設ディスプレイ固定部４ｃは、円柱状に形成され、側面からアーム部４ｂの他端が該円柱の周方向（背面と平行な方向）に沿って回転自在に取り付けられている。また、増設ディスプレイ固定部４ｃは、増設ディスプレイ３の表示部３ｂと相対する背面の略中央に円柱が突出するように取り付けられている。
【００３１】
図２に示すように、配置方向センサ４１は、基準ディスプレイ固定部４ａに設けられ、アーム部４ｂの位置（角度）を検出して増設マイコン３２に出力する。アーム部４ｂの位置（角度）とは、前述したロック機構によるロック位置（幅方向および高さ方向の４箇所のいずれの方向にアーム部４ｂが向いているかを示している。例えば図１（ａ）の場合は高さ方向（矢印Ｙの逆方向、つまり下）を向いている。
【００３２】
映像入力手段としての映像入力部５は、例えば、ＤＶＤドライブやハードディスクドライブなどの記録媒体を内蔵し、基準ディスプレイ２へ記録媒体から読み出した映像を入力する。記録媒体には、基準ディスプレイ２の表示部２ｂに表示する解像度よりも高い解像度の映像が記録されている。なお、映像入力部５は、記録媒体によらず、外部から無線や有線などによって映像を供給してもよい。
【００３３】
次に、上述した構成の表示領域拡大装置１の動作を図３乃至図７を参照して説明する。図３は映像入力部５が基準ディスプレイ２に対して出力する映像の解像度（サイズ）を示している。出力映像６は、基準ディスプレイ２が表示する解像度に対して縦横共に３倍の解像度の映像である。基準ディスプレイ２はこの出力映像６のうち６Ｅの位置の映像を表示する。
【００３４】
この６Ｅの位置の映像の一例を図４に示す。図４は地図とルート情報７および自車を示すマーク８（アイコン）の他にメニューや案内表示や他のアイコンなども表示されている。つまり、この映像（６Ｅ）単体でもナビゲーションシステムとして機能するために必要とする機能は備えている。要するに、この映像（６Ｅ）は従来表示部が１枚の場合に表示されていた映像と略同一の情報量の映像である。
【００３５】
本実施例の場合は予め６Ｅの周囲領域まで含めた映像を作成し映像入力部５から基準ディスプレイ２や増設ディスプレイ３に入力することによって、図４に示すように、増設ディスプレイ３を移動させることで移動させた位置に対応する領域を増設ディスプレイ３に表示させることができる。例えば、図４の場合は、増設ディスプレイ３が基準ディスプレイ２の下に位置（６Ｈを表示）していた時に、基準ディスプレイ２の右に移動させることで、その位置を認識して対応する領域の映像（６Ｆ）を増設ディスプレイ３が表示する。図４の場合は、増設ディスプレイ３をこのように移動することで、案内ルート上、右折の次は左折する必要があることが基準ディスプレイ２のみの場合よりも視覚的にわかり易く表示することができる。また、同様に基準ディスプレイ２の上に移動させたときは６Ｂを、基準ディスプレイ２の左に移動させた場合は６Ｄを表示する。
【００３６】
ここで、増設ディスプレイ３の移動方法を図５を参照して説明する。まず、増設ディスプレイ３を基準ディスプレイ２から離れる方向に向かって引く（図５の場合は下側に向かって引く）。このようにすると、接続部材４のアーム部４ｂが伸びるとともに基準ディスプレイ固定部４ａのロックが解除される。そして、増設ディスプレイ３を所望の位置に移動させて、基準ディスプレイ２の側面と増設ディスプレイ３の側面が接触する程度までアーム部４ｂが縮むと基準ディスプレイ固定部４ａがロックされ増設ディスプレイ３が移動した位置（図５では右側）に保持される。
【００３７】
次に、上述した基準ディスプレイ２の動作を図６のフローチャートを参照して詳細に説明する。図６のフローチャートは基準マイコン２２にて実行される。
【００３８】
まず、ステップＳ１１において、予め定めた位置の映像を切り出してステップＳ１２に進む。本ステップでは、映像処理部２１に予め定めた位置、つまり映像の中央位置（６Ｅ）を切り出すように指示をする。
【００３９】
次に、ステップＳ１２において、ステップＳ１１で切り出した映像を表示部２ｂに出力させる。つまり、基準マイコン２２は映像の中央位置を切り出させて表示させるように制御している。
【００４０】
次に、上述した増設ディスプレイ３の動作を図７のフローチャートを参照して詳細に説明する。図７のフローチャートは増設マイコン３２にて実行される。
【００４１】
まず、ステップＳ２１において、自分の位置、つまり、増設ディスプレイ３が基準ディスプレイ２の上下左右のうちどの位置にあるかを確認してステップＳ２２に進む。すなわち、基準ディスプレイ固定部４ａに内蔵されている配置方向センサ４１が検出したアーム部４ｂの位置（角度）を取得して、そのアーム部４ｂの位置（角度）から基準ディスプレイ２が上下左右のうちどの位置にあるかを確認する。
【００４２】
次に、ステップＳ２２において、ステップＳ２１で確認した位置に応じた映像を切り出してステップＳ２３に進む。本ステップでは、映像処理部３１にステップＳ２１で検出した位置に相当する映像を切り出すように指示をする。
【００４３】
次に、ステップＳ２３において、ステップＳ２２で切り出した映像を表示部３ｂに出力させる。つまり、増設マイコン３２は配置方向センサ４１が検出した位置に応じた映像を切り出させて表示させるように制御している。すなわち、検出手段が検出した位置に基づいて、第２のディスプレイに表示する第１のディスプレイに表示される中心領域の上下左右のいずれかの位置に隣接する領域を決定し、第２のディスプレイに表示させている。
【００４４】
本実施例によれば、基準ディスプレイ２と増設ディスプレイ３とを接続部材４で接続して増設ディスプレイ３を基準ディスプレイ２の上下左右に移動できるようにし、基準ディスプレイ２には映像入力部５から入力した映像の中心領域を切り出して表示させて、増設ディスプレイ３には、移動した位置に対応する領域の映像を切り出して表示させているので、移動した位置に対応した中心領域に隣接する領域を増設ディスプレイ３に自動的に表示することができる。
【００４５】
また、配置方向センサ４１でアーム部４ｂの角度を検出しているので、その角度からアーム部４ｂに接続された増設ディスプレイ３の位置を検出することができる。
【００４６】
なお、上述した実施例では配置方向センサ４１は基準ディスプレイ固定部４ａに内蔵されていたが、増設ディスプレイ固定部４ｃにおいても増設ディスプレイ３の移動に応じてアーム部４ｂの角度が変化することから、増設ディスプレイ固定部４ｃに内蔵してもよい。
【００４７】
また、上述した実施例では、基準ディスプレイ２を中心領域を表示する第１のディスプレイとしていたが、基準ディスプレイ２、増設ディスプレイ３ともに同一構成とし、配置方向センサ４１の検出結果も両方のディスプレイに出力するようにして、初期設定などにより中心領域を表示する第１のディスプレイを選択できるようにしてもよい。
【実施例２】
【００４８】
次に、本発明の第２の実施例を図８を参照して説明する。なお、前述した第１の実施例と同一部分には、同一符号を付して説明を省略する。
【００４９】
本実施例は、基準ディスプレイ２および増設ディスプレイ３のブロック構成は第１の実施例と同様であるが、映像入力部５から増設ディスプレイ３に入力される映像は基準ディスプレイ２及び接続部材４を介して入力されている点が異なる。
【００５０】
また、本実施例においても、配置方向センサ４１は基準ディスプレイ固定部４ａ、増設ディスプレイ固定部４ｃのどちらに内蔵してもよい。
【００５１】
本実施例によれば、増設ディスプレイ３へ基準ディスプレイ２を介して映像が入力されているので、配線が単純化されるために配線作業が容易になる。
【００５２】
なお、上述した実施例では基準ディスプレイ固定部４ａに配置方向センサ４１を備えていたが、それに限らず、例えば、基準ディスプレイ２の４つの側面にスイッチ等を設け、増設ディスプレイ３がそのスイッチを押すことで、増設ディスプレイ３が基準ディスプレイ２に対してどの位置にあるかを検出するようにしてもよい。勿論増設ディスプレイ３側にスイッチを設けてもよい。すなわち、第１のディスプレイの側面と第２のディスプレイの側面との接触位置を検出してもよい。
【００５３】
また、上述した実施例では基準ディスプレイ固定部４ａにロック機構を備えていたが、それに限らず、図９に示すように、基準ディスプレイ２の側面から突出した突起２ｃと、増設ディスプレイ３の側面に孔３ｃと、をそれぞれ設け、突起２ｃを孔３ｃに進入されることで増設ディスプレイ３の位置をロックするようにしてもよい。勿論、基準ディスプレイ２に孔を設け、増設ディスプレイ３に突起を設けてもよい。さらに、上述したスイッチによる配置方向センサと組み合わせてもよい。つまり、突起側または孔側にスイッチ機能を持たせロックされた時点でスイッチがＯＮになるようにしてもよい。
【００５４】
また、増設ディスプレイ３を移動する際には基準ディスプレイ２から離れる方向に引いていたが、図１０に示すように増設ディスプレイ３を基準ディスプレイ２と側面が接触しない方向（奥行き方向）に押してから回転させてもよい。
【００５５】
また、上述した実施例では増設ディスプレイ３は１つであったが２つ以上であってもよい。この場合は接続部材のアーム部４ｂが複数となるので各アーム部４ｂに対応した配置方向センサ４１を設ける必要がある。
【００５６】
前述した実施例によれば、以下の表示領域拡大装置１が得られる。
【００５７】
（付記１）映像を入力する映像入力部５と、映像入力部５から映像が入力されるとともに入力された映像の中心領域を表示する基準ディスプレイ２と、映像入力部５から映像が入力されるとともに基準ディスプレイ２が表示する中心領域と隣接する領域を表示する増設ディスプレイ３と、を備えた表示領域拡大装置１であって、
基準ディスプレイ２と増設ディスプレイ３とを接続するアーム部４ｂと、基準ディスプレイ２の背面に取り付けられるとともにアーム部４ｂの一端と接続されてアーム部４ｂを基準ディスプレイ２の背面に対して平行な方向に回転自在に保持する基準ディスプレイ固定部４ａと、増設ディスプレイ３の背面に取り付けられるとともにアーム部４ｂの他端と接続されてアーム部４ｂを増設ディスプレイ３の背面に対して平行な方向に回転自在に保持する増設ディスプレイ固定部４ｃと、を備えて、増設ディスプレイ３を、基準ディスプレイ２と接続するとともに、基準ディスプレイ２を中心として周方向に移動自在に接続する接続部材４と、
増設ディスプレイ３の位置を検出する配置方向センサ４１と、
配置方向センサ４１が検出した増設ディスプレイ３の位置に基づいて、中心領域と隣接する領域のうち増設ディスプレイ３に表示する領域を決定し表示させる増設マイコン３２と、
を備えたことを特徴とする表示領域拡大装置１。
【００５８】
この表示領域拡大装置１によれば、増設ディスプレイ３を基準ディスプレイ２を中心として周方向に移動させるだけで、移動した位置に対応した基準ディスプレイ２が表示する中心領域と隣接する領域を増設ディスプレイ３に自動的に表示することができる。したがって、４倍の面積のディスプレイを用いなくとも、表示させたい領域を含むような位置に第２のディスプレイを移動することで第１のディスプレイの表示領域を効率よく拡大できる。
【００５９】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００６０】
１      表示領域拡大装置
２      基準ディスプレイ（第１のディスプレイ）
３      増設ディスプレイ（第２のディスプレイ）
４      接続部材（接続手段）
４ａ    基準ディスプレイ固定部（第１の取付部）
４ｂ    アーム部
４ｃ    増設ディスプレイ固定部（第２の取付部）
５      映像入力部（映像入力手段）
３２    増設マイコン（表示領域決定手段）
４１    配置方向センサ（検出手段）
【国際調査報告】
2009066382.tif 000013
2009066382.tif 000014
2009066382.tif 000015
2009066382.tif 000016